(57)【要約】【課題】電子血圧計において、正確に最低血圧値を決定した後、迅速にカフ内の流体を急速排気し、上腕等の圧迫時間を短縮すること。【解決手段】カフ１を加圧しているときの脈波情報に基づいて、測定終了圧力算出手段１６により測定終了圧力を算出する。減圧過程において、血圧値決定手段１３により最低血圧値を決定したときのカフ圧が測定終了圧力よりも低ければ、測定終了判断手段１４により測定終了と判断し、急速排気手段３によりカフ１を直ちに急速排気する。最低血圧値決定時のカフ圧が測定終了圧力よりも低くない場合には、測定を継続し、カフ圧が測定終了圧力よりも低くなった時点で測定を終了し、カフ１を直ちに急速排気する。【選択図】図１
2008080069.tif 000002
【特許請求の範囲】
【請求項１】
カフと、
前記カフを加圧する加圧手段と、
前記カフ内の圧力を減圧する減圧手段と、
前記カフ内の流体圧を検出する圧力検出手段と、
前記加圧手段により前記カフを加圧しているときに前記圧力検出手段の出力信号中に含まれる脈波情報を検出する加圧時脈波情報検出手段と、
前記加圧時脈波情報検出手段により検出された脈波情報に基づいて測定終了圧力を算出する測定終了圧力算出手段と、
前記減圧手段により前記カフ内の圧力を減圧しているときに最低血圧値を決定する血圧値決定手段と、
前記血圧値決定手段により最低血圧値が決定されたときに前記圧力検出手段により検出された前記カフ内の流体圧が前記測定終了圧力算出手段により算出された測定終了圧力よりも低ければ測定終了と判断する測定終了判断手段と、
を備えることを特徴とする電子血圧計。
【請求項２】
前記測定終了判断手段は、前記血圧値決定手段により最低血圧値が決定された後、前記圧力検出手段により検出された前記カフ内の流体圧が前記測定終了圧力よりも低くなった時点で測定終了と判断することを特徴とする請求項１に記載の電子血圧計。
【請求項３】
前記加圧時脈波情報検出手段は、脈波情報として前記カフ内の流体圧の微分値を検出することを特徴とする請求項１または２に記載の電子血圧計。
【請求項４】
前記測定終了圧力算出手段は、前記加圧時脈波情報検出手段により検出された前記カフ内の流体圧の微分値が最大振幅を示すときに前記圧力検出手段により検出された前記カフ内の流体圧を測定終了圧力とすることを特徴とする請求項３に記載の電子血圧計。
【請求項５】
前記測定終了圧力算出手段は、前記加圧時脈波情報検出手段により検出された前記カフ内の流体圧の微分値に基づいて最低血圧値の推定値を算出し、該最低血圧値の推定値に基づいて測定終了圧力を算出することを特徴とする請求項３に記載の電子血圧計。
【請求項６】
前記測定終了圧力算出手段は、前記最低血圧値の推定値に所定の値を加算した値を測定終了圧力とすることを特徴とする請求項５に記載の電子血圧計。
【請求項７】
前記加圧時脈波情報検出手段により検出された前記カフ内の流体圧の微分値に基づいて前記加圧手段による前記カフの加圧を停止する加圧停止圧を算出する加圧停止圧算出手段、をさらに備えることを特徴とする請求項１〜６のいずれか一つに記載の電子血圧計。
【発明の詳細な説明】
【技術分野】
【０００１】
この発明は、オシロメトリック法により血圧を測定する電子血圧計に関する。
【背景技術】
【０００２】
図７は、血圧測定中のカフ内圧力（以下、カフ圧とする）の変動の一例を示す特性図である。図７に示すように、オシロメトリック法により血圧測定では、カフ圧を徐々に減少させる減圧過程において、カフ圧の変動として脈が現われる。この脈の測定結果に基づいて、最高血圧値と最低血圧値が決められる。
【０００３】
図８は、図７に示す特性図の減圧過程におけるカフ圧の変動分からカフ圧の低下分を引いて脈波成分を抽出した脈信号波形を、横軸を時間として示す特性図である。図９は、図８に示す特性図を、横軸をカフ圧として書き直したものである。オシロメトリック法では、例えば、減圧過程における脈信号波形の最大振幅Ｈｍａｘの５０％を最初に上回る脈波高を示すカフ圧を最高血圧値とし、Ｈｍａｘの７０％を最初に下回る脈波高を示すカフ圧を最低血圧値とする。
【０００４】
図９に示す例では、右から６番目の脈波高がＨｍａｘの５０％を最初に上回るので、最高血圧値は１３９となる。また、左から５番目の脈波高がＨｍａｘの７０％を最初に下回るので、最低血圧値は９９となる。一般に、血圧の測定は、例えば上腕をカフで圧迫した状態で行われる。圧迫による鬱血などを起こさないためには、上腕等の圧迫時間をできるだけ短縮するのが望ましい。
【０００５】
そのためには、例えば、最低血圧値が決まったら直ちにカフ内の流体を急速排気して圧迫を解除すればよい。しかし、人によっては図９に示すような脈波の山が２つ以上観測される場合があり、減圧過程において決定された最低血圧値が高い場合、それよりも低い領域に真の血圧値を決定するにふさわしい脈波の山が現われることがあるため、最低血圧値が決まった後もより低い圧力領域まで測定を継続する必要がある。いわゆる二山対策と呼ばれるものである。
【０００６】
図１０は、二山対策を説明する脈信号の一例を示す特性図である。図１０に示す例では、減圧過程において、まず、第１の最大振幅となる脈波が出現し、それに基づいて第１の最高血圧値および第１の最低血圧値としてそれぞれ２００および１８０が決まる。さらに測定を継続すると、第２の最大振幅となる脈波が出現し、第２の最高血圧値および第２の最低血圧値としてそれぞれ１３０および９０が決まる。このような場合、最高血圧値および最低血圧値としてそれぞれ１３０および９０が適当である。
【０００７】
一方、測定時間を短くすることによっても、上腕等の圧迫時間を短縮することができる。例えば、カフと、カフを加圧する加圧手段と、カフ内圧力を減圧する減圧手段と、前記カフ内の流体圧を検出する圧力検出手段と、この圧力検出手段の出力信号中に含まれる脈波成分を検出する脈波成分検出手段と、この脈波成分検出手段で検出された脈波成分より脈波振幅値を算出する脈波振幅値算出手段と、この脈波振幅値算出手段の出力信号および前記圧力検出手段の出力信号に基づいて最高血圧値および最低血圧値を決定する血圧値決定手段とからなる電子血圧計において、上記カフを加圧目標値まで急加速する加圧過程において、カフ圧の脈波情報を検出する脈波情報検出手段と、この検出した脈波情報に基づいて最大脈波発生時のカフ圧の推定および最高血圧の推定とを行う推定手段と、カフを微速排気する減圧過程において、前記推定手段により推定した最高血圧推定値より所定値を引いたカフ圧点から、最大脈波発生時のカフ圧に所定値を加えたカフ圧点までを急速減圧する減圧制御手段を設けることによって、短時間で測定を済ませるようにした電子血圧計が公知である（例えば、特許文献１参照。）。
【０００８】
【特許文献１】特開平４−１５２９３３号公報
【発明の開示】
【発明が解決しようとする課題】
【０００９】
上述したように、従来の電子血圧計では、二山対策が講じられており、最低血圧値が決まった後も所定のカフ圧に達するまで測定を継続するため、上腕等を圧迫している時間が長くなってしまうという問題点がある。特に、ユーザが高血圧である場合には、最低血圧値が決まった後、かなり長い時間、測定を継続することになるため、上腕等を圧迫している時間が特に長くなるという問題点がある。
【００１０】
また、前記特許文献１に開示された電子血圧計では、最高血圧推定値より所定値を引いたカフ圧点から、最大脈波発生時のカフ圧に所定値を加えたカフ圧点までの急速減圧期間に真の最低血圧値がある場合に、この真の最低血圧値を求めることができないという問題点がある。さらに、特許文献１に開示された電子血圧計では、減圧過程において、微速減圧から急速減圧を経て再び微速減圧に戻るようにカフの排気弁の開き具合を正確に調節するのは極めて困難である。従って、特許文献１に開示された電子血圧計は、実現性に乏しい。
【００１１】
この発明は、上述した従来技術による問題点を解消するため、正確に最低血圧値を決定した後、迅速にカフ内の流体を急速排気することによって、上腕等を圧迫している時間を短縮することができる電子血圧計を提供することを目的とする。
【課題を解決するための手段】
【００１２】
上述した課題を解決し、目的を達成するため、請求項１の発明にかかる電子血圧計は、カフと、前記カフを加圧する加圧手段と、前記カフ内の圧力を減圧する減圧手段と、前記カフ内の流体圧を検出する圧力検出手段と、前記加圧手段により前記カフを加圧しているときに前記圧力検出手段の出力信号中に含まれる脈波情報を検出する加圧時脈波情報検出手段と、前記加圧時脈波情報検出手段により検出された脈波情報に基づいて測定終了圧力を算出する測定終了圧力算出手段と、前記減圧手段により前記カフ内の圧力を減圧しているときに最低血圧値を決定する血圧値決定手段と、前記血圧値決定手段により最低血圧値が決定されたときに前記圧力検出手段により検出された前記カフ内の流体圧が前記測定終了圧力算出手段により算出された測定終了圧力よりも低ければ測定終了と判断する測定終了判断手段と、を備えることを特徴とする。
【００１３】
また、請求項２の発明にかかる電子血圧計は、請求項１に記載の発明において、前記測定終了判断手段は、前記血圧値決定手段により最低血圧値が決定された後、前記圧力検出手段により検出された前記カフ内の流体圧が前記測定終了圧力よりも低くなった時点で測定終了と判断することを特徴とする。
【００１４】
また、請求項３の発明にかかる電子血圧計は、請求項１または２に記載の発明において、前記加圧時脈波情報検出手段は、脈波情報として前記カフ内の流体圧の微分値を検出することを特徴とする。
【００１５】
また、請求項４の発明にかかる電子血圧計は、請求項３に記載の発明において、前記測定終了圧力算出手段は、前記加圧時脈波情報検出手段により検出された前記カフ内の流体圧の微分値が最大振幅を示すときに前記圧力検出手段により検出された前記カフ内の流体圧を測定終了圧力とすることを特徴とする。
【００１６】
また、請求項５の発明にかかる電子血圧計は、請求項３に記載の発明において、前記測定終了圧力算出手段は、前記加圧時脈波情報検出手段により検出された前記カフ内の流体圧の微分値に基づいて最低血圧値の推定値を算出し、該最低血圧値の推定値に基づいて測定終了圧力を算出することを特徴とする。
【００１７】
また、請求項６の発明にかかる電子血圧計は、請求項５に記載の発明において、前記測定終了圧力算出手段は、前記最低血圧値の推定値に所定の値を加算した値を測定終了圧力とすることを特徴とする。
【００１８】
また、請求項７の発明にかかる電子血圧計は、請求項１〜６のいずれか一つに記載の発明において、前記加圧時脈波情報検出手段により検出された前記カフ内の流体圧の微分値に基づいて前記加圧手段による前記カフの加圧を停止する加圧停止圧を算出する加圧停止圧算出手段、をさらに備えることを特徴とする。
【００１９】
この発明によれば、カフを加圧しているときの脈波情報に基づいて測定終了圧力算出手段により測定終了圧力が算出され、その測定終了圧力よりも、減圧過程において血圧値決定手段により決定された最低血圧値を示すカフ圧が低ければ、測定終了判断手段により測定終了と判断され、直ちにカフ内の流体が急速排気される。一方、減圧過程において血圧値決定手段により決定された最低血圧値を示すカフ圧が測定終了圧力よりも低くない場合には、カフ圧が測定終了圧力よりも低くなるまで測定が継続され、低くなった時点で測定終了と判断され、直ちにカフ内の流体が急速排気される。また、急速減圧から微速減圧に戻る必要がないので、減圧時のカフ圧を正確かつ容易に調節することができる。
【発明の効果】
【００２０】
本発明にかかる電子血圧計によれば、正確に最低血圧値を決定した後、迅速にカフ内の流体を急速排気するので、上腕等を圧迫している時間を容易に短縮することができるという効果を奏する。
【発明を実施するための最良の形態】
【００２１】
以下に添付図面を参照して、この発明にかかる電子血圧計の好適な実施の形態を詳細に説明する。図１は、この発明の実施の形態にかかる電子血圧計の構成を示すブロック図である。図１に示すように、電子血圧計は、カフ１、加圧手段２、急速排気手段３、減圧手段４、圧力検出手段５、マイクロコンピュータ（以下、ＭＰＵとする）６および表示部７を備えている。カフ１と、加圧手段２、急速排気手段３、減圧手段４および圧力検出手段５とは、チューブ８により接続されている。
【００２２】
加圧手段２は、圧力検出手段５の出力信号に基づいて、カフ１を急速に加圧し、さらに、加圧停止圧算出手段１７に基づいて加圧を停止するよう制御する。加圧手段２は、例えば、空気等の流体（以下、単に空気等とする）をカフ１へ送り出すポンプと、そのポンプの駆動制御を行う制御手段により構成されている。急速排気手段３は、測定終了判断手段１４の出力信号に基づいて、カフ１内を急速に減圧する。急速排気手段３は、例えば、カフ１内の空気等を急速に排気する急速排気弁により構成されている。
【００２３】
減圧手段４は、加圧停止圧算出手段１７の出力信号に基づいてカフ１の圧力の微速減圧を開始し、さらに、圧力検出手段５の出力信号に基づいて、減圧速度が定速となるように制御する。減圧手段４は、例えば、カフ１内の空気等を微速で排気する微速排気弁により構成されている。圧力検出手段５は、カフ１内の圧力を検出する。圧力検出手段５は、例えば、圧力センサにより構成されている。表示部７は、ＭＰＵ６により決定された最高血圧値および最低血圧値を表示する。表示部７は、例えば、液晶表示パネルと、その液晶表示パネルの表示制御を行う制御手段により構成されている。
【００２４】
ＭＰＵ６は、脈波成分検出手段１１、脈波振幅値算出手段１２、血圧値決定手段１３、測定終了判断手段１４、加圧時脈波情報検出手段１５、測定終了圧力算出手段１６および加圧停止圧算出手段１７を備えている。ＭＰＵ６を構成するこれらの手段は、ＭＰＵ６が圧力測定プログラムを実行することにより実現される。
【００２５】
加圧時脈波情報検出手段１５は、加圧手段２によりカフ１を加圧しているときに、圧力検出手段５の出力信号中に含まれる脈波情報を検出する。このとき、加圧時脈波情報検出手段１５により検出される脈波情報は、カフ１内の圧力の微分値（加圧速度）である。これは、カフ１の加圧時に検出される脈に起因する圧力変動が、観測するのが困難であるくらいに小さいからである（図７の加圧過程を参照）。この場合、カフ圧の微分値をとることによって、図２および図３に示すように、脈波を顕在化させることができる。
【００２６】
図２は、図７に示す特性図の加圧過程におけるカフ圧の微分値を、横軸を時間として示す特性図である。図３は、図２に示す特性図を、横軸をカフ圧として書き直したものである。なお、図２および図３に示す例では、特に限定しないが、加圧速度が１５ｍｍＨｇ／ｓｅｃになるように制御されている。
【００２７】
測定終了圧力算出手段１６は、加圧時脈波情報検出手段１５により検出された脈波情報に基づいて、測定終了圧力を算出する。測定終了圧力は、例えば、加圧時脈波情報検出手段１５により検出されたカフ圧の微分値の振幅が最大を示すときのカフ圧である。以下、カフ圧の微分値の振幅値を微分脈波振幅値とする。例えば図３に示す例の場合、微分脈波振幅値の最大値は４１ｍｍＨｇ／ｓｅｃであり、そのときのカフ圧は１２１ｍｍＨｇである。従って、この場合には、測定終了圧力は１２１ｍｍＨｇとなる。
【００２８】
あるいは、測定終了圧力算出手段１６は、加圧時脈波情報検出手段１５により検出されたカフ圧の微分値に基づいて、最低血圧値の推定値を算出し、その最低血圧値の推定値に所定の値、例えば２０ｍｍＨｇを加算した値を測定終了圧力とするようになっていてもよい。この場合、例えば図３に示す例で説明すると、２番目に大きい微分脈波振幅値は３４ｍｍＨｇ／ｓｅｃ（＝４１ｍｍＨｇ／ｓｅｃ−７ｍｍＨｇ／ｓｅｃ）である。これは、微分脈波振幅値の最大値（４１ｍｍＨｇ／ｓｅｃ）の７０％を下回らない。
【００２９】
３番目に大きい微分脈波振幅値は１８ｍｍＨｇ／ｓｅｃ（＝３１ｍｍＨｇ／ｓｅｃ−１３ｍｍＨｇ／ｓｅｃ）であり、そのときのカフ圧は９４ｍｍＨｇである。これは、４１ｍｍＨｇ／ｓｅｃの７０％を下回るので、最低血圧値の推定値は９４ｍｍＨｇとなる。この値に例えば２０ｍｍＨｇが加算されるので、測定終了圧力は１１４ｍｍＨｇとなる。２０ｍｍＨｇを加算する理由は、最低血圧値の推定値と実際の最低血圧値との誤差を考慮し、また、微速減圧過程を必要以上に長く行うことを避け、カフ１による上腕等血圧測定部位の圧迫時間をできる限り短くするためである。以上、測定終了圧力の算出方法を二通りの方法で説明したが、測定終了圧力算出手段１６がいずれの値を測定終了圧力とするかということは、電子血圧計の仕様等に応じて設計段階で適宜選択される。
【００３０】
加圧停止圧算出手段１７は、加圧時脈波情報検出手段１５により検出されたカフ圧の微分値に基づいて、加圧手段２によるカフ１の加圧を停止する加圧停止圧を算出する。加圧停止圧算出手段１７は、例えば、微分脈波振幅値が最大となるときのカフ圧に６０ｍｍＨｇを加算した圧力を加圧停止圧とする。カフ１の加圧時にカフ圧が加圧停止圧に達すると、加圧停止圧算出手段１７の出力信号がアサートされる。それによって、加圧手段２の駆動が停止され、その代わりに、減圧手段４を構成する微速排気弁が開き、カフ１の微速減圧が開始される。
【００３１】
脈波成分検出手段１１は、減圧手段４によりカフ１内の圧力を徐々に減圧しているときに、圧力検出手段５の出力信号中に重畳している脈波成分を検出する。脈波振幅値算出手段１２は、脈波成分検出手段１１により検出された脈波成分に基づいて、減圧過程における脈波振幅値を算出する。血圧値決定手段１３は、脈波振幅値算出手段１２の出力信号および圧力検出手段５の出力信号に基づいて、周知のオシロメトリック法による血圧決定アルゴリズムにより、最高血圧値および最低血圧値を決定する。
【００３２】
測定終了判断手段１４は、血圧値決定手段１３により最低血圧値が決定されたときに圧力検出手段５により検出されたカフ圧が測定終了圧力よりも低ければ、測定終了と判断する。最低血圧値の決定時のカフ圧が測定終了圧力よりも低くない場合には、減圧手段４によるカフ１の微速排気が継続され、血圧測定が継続される。そして、カフ圧が測定終了圧力よりも低くなった時点で、測定終了判断手段１４は測定終了と判断する。
【００３３】
測定終了判断手段１４が測定終了と判断すると、測定終了判断手段１４の出力信号がアサートされる。それによって、急速排気手段３を構成する急速排気弁が開き、カフ１の急速排気が開始される。また、測定終了判断手段１４が測定終了と判断すると、表示部７に最低血圧値と最高血圧値が表示される。
【００３４】
図４および図５は、この発明の実施の形態にかかる電子血圧計の血圧測定処理手順を示すフローチャートであり、図５は図４の続きである。測定者の上腕にカフ１を巻き付けた後、図４に示すように、血圧測定処理が開始されると、まず、加圧手段２によりカフ１の加圧を開始され、測定者の上腕が圧迫される（ステップＳ１）。そして、圧力検出手段５および加圧時脈波情報検出手段１５により、加圧時の脈波を検出できたか否かを判断する（ステップＳ２）。
【００３５】
脈波を検出できない場合には（ステップＳ２：Ｎｏ）、脈波を検出できるまで加圧手段２によるカフ１の加圧を継続する。脈波を検出できる場合には（ステップＳ２：Ｙｅｓ）、加圧時脈波情報検出手段１５により、微分脈波振幅値を算出する（ステップＳ３）。そして、算出された微分脈波振幅値とそれに対応する脈波の開始圧（その脈波の開始点のカフ圧）をＭＰＵ６内のメモリに記憶する（ステップＳ４）。このメモリは、図１では省略されている。
【００３６】
次いで、加圧時脈波情報検出手段１５により、ステップＳ３で算出された微分脈波振幅値が最大であるか否かを判定する（ステップＳ５）。ＭＰＵ６内のメモリに微分脈波振幅値の最大値を記憶する領域を設け、その領域に記憶されている微分脈波振幅値の最大値とステップ３で新たに算出された微分脈波振幅値とを比較することで当該判定を行う。ただし、微分脈波振幅値が初めて算出されたときには、微分脈波振幅値の最大値を記憶するＭＰＵ６内のメモリ上の領域には何も記憶されていないので、初めて算出された微分脈波振幅値が最大であると判定される。ステップＳ５において、ステップＳ３で算出された微分脈波振幅値が最大であると判定された場合には（ステップＳ５：Ｙｅｓ）、微分脈波振幅値の最大値を更新する（ステップＳ６）。そして、加圧停止圧算出手段１７により、加圧停止圧を算出する（ステップＳ７）。また、測定終了圧力算出手段１６により、測定終了圧力値を算出し（ステップＳ８）、ステップＳ９へ進む。
【００３７】
一方、ステップＳ４で算出された微分脈波振幅値が最大でない場合には（ステップＳ５：Ｎｏ）、ステップＳ６〜Ｓ８を省略して、ステップＳ９へ進む。通常、ステップＳ６〜Ｓ８を１回以上行い、加圧停止圧と測定終了圧力値をそれぞれ１回以上算出した後に、ステップＳ５でＮｏとなる。
【００３８】
ステップＳ９では、加圧手段２により、カフ１の現在の圧力が、ステップＳ７で算出された加圧停止圧よりも高いか否かを判断する（ステップＳ９）。高い場合には（ステップＳ９：Ｙｅｓ）、加圧手段２によるカフ１の加圧を終了する（ステップＳ１０）。高くない場合には（ステップＳ９：Ｎｏ）、ステップＳ１に戻り、現在のカフ圧が加圧停止圧よりも高くなるまで、ステップＳ１〜Ｓ９を繰り返し行う。
【００３９】
カフ１の加圧が終了したら、減圧手段４により、カフ１の微速減圧を開始する（ステップＳ１１）。そして、脈波成分検出手段１１および脈波振幅値算出手段１２により、減圧時の脈波を抽出する（ステップＳ１２）。すなわち、脈波成分検出手段１１により、圧力検出手段５の出力信号中に含まれる脈波成分を検出し、その脈波成分に基づいて、脈波振幅値算出手段１２により、脈波振幅値を算出する。微速減圧の速度は、脈波成分検出手段１１により脈波成分を検出できる程度の減圧速度であり、ほぼ４．５ｍｍＨｇ／ｓｅｃの定速で減圧するように制御される。
【００４０】
次いで、血圧値決定手段１３により、最高血圧値と最低血圧値を算出する（ステップＳ１３）。（ただし、最低血圧値の算出が可能となるまで、カフ１の圧力が充分に降圧していないときには、最低血圧値の算出が可能となるまでステップＳ１１の微速減圧およびステップＳ１２の脈波抽出を繰り返し行う。）そして、測定終了判断手段１４により、カフ１の現在の圧力が、ステップＳ８で算出された測定終了圧力値よりも低いか否かを判断する（ステップＳ１４）。低い場合には（ステップＳ１４：Ｙｅｓ）、測定終了判断手段１４は測定終了と判断し、急速排気手段３により、カフ１の急速排気を行う（ステップＳ１５）。
【００４１】
また、最高血圧値と最低血圧値を表示部７に表示する。そして、上述した一連の血圧測定処理を終了する。低くない場合には（ステップＳ１４：Ｎｏ）、ステップＳ１１に戻り、現在のカフ圧が測定終了圧力値よりも低くなるまで、ステップＳ１１〜Ｓ１４を繰り返し行い、カフ１の圧力がより低い帯域で最低血圧値が存在しないかを継続して監視する。
【００４２】
以上説明したように、実施の形態によれば、カフ１の減圧過程において、血圧値決定手段１３により最低血圧値が決定されると、そのときのカフ圧が、測定終了圧力算出手段１６により算出された測定終了圧力値よりも低ければ、直ちに測定を終了し、カフ１が急速排気されるので、上腕等を圧迫している時間を容易に短縮することができるという効果を奏する。また、最低血圧値の決定時のカフ圧が測定終了圧力よりも低くない場合には、カフ圧が測定終了圧力よりも低くなるまで血圧の測定が継続されるので、図１０に示すようなケースで、誤ってカフ１の圧力が高い帯域で最低血圧値が算出されてしまった場合でも正確に血圧を再算出測定することができるという効果を奏する。
【００４３】
他方、実施の形態にかかる電子血圧計は、図６に示すような二山パターンの場合に、正確に最低血圧値を決めることができるという利点を有する。図６に示す二山パターンは、山が２つできてしまい、高圧側の山に最低血圧があるようなパターンである。このようなパターンにおいて、本実施の形態のように、加圧過程において脈をとって最低血圧値を推定しようとすると、加圧過程おいて検出できる脈が少ないため、山が２つあると判断できず、図６に破線で示すように、１つの山に見えてしまうことが考えられる。その場合、高圧側の山にあるべき本来の最低血圧値が、１つに見えた山の、低圧側の山の部分にあるように推定されてしまうおそれがある。
【００４４】
このような場合でも、実施の形態にかかる電子血圧計であれば、正しく血圧を測定できる。それに対して、前記特許文献１に開示された電子血圧計では、微速減圧から急速減圧を経て再び微速減圧に戻る過程で、急速減圧の段階で真の最低血圧値が現われるおそれがある。その場合には、真の最低血圧値を検出できずに、見かけの最低血圧値を検出してしまう。つまり、特許文献１に開示された電子血圧計では、正確に血圧を測定できないという問題点がある。以上において本発明は、上述した実施の形態に限らず、種々変更可能である。
【産業上の利用可能性】
【００４５】
以上のように、本発明にかかる電子血圧計は、オシロメトリック方式の電子血圧計に有用であり、特に、短時間での測定が可能な電子血圧計に適している。
【図面の簡単な説明】
【００４６】
【図１】この発明の実施の形態にかかる電子血圧計の構成を示すブロック図である。
【図２】図７に示す特性図の加圧過程におけるカフ圧の微分値を、横軸を時間として示す特性図である。
【図３】図２に示す特性図を、横軸をカフ圧として書き直した特性図である。
【図４】この発明の実施の形態にかかる電子血圧計の血圧測定処理手順を示すフローチャートである。
【図５】図４の続きを示すフローチャートである。
【図６】血圧測定における二山パターンの一例を示す特性図である。
【図７】血圧測定中のカフ圧の変動の一例を示す特性図である。
【図８】図７に示す特性図の減圧過程におけるカフ圧の変動分からカフ圧の低下分を引いて脈波成分を抽出した脈信号波形を、横軸を時間として示す特性図である。
【図９】図８に示す特性図を、横軸をカフ圧として書き直した特性図である。
【図１０】二山対策を説明する脈信号の一例を示す特性図である。
【符号の説明】
【００４７】
１  カフ
２  加圧手段
３  急速排気手段
４  減圧手段
５  圧力検出手段
１１  脈波成分検出手段
１２  脈波振幅値算出手段
１３  血圧値決定手段
１４  測定終了判断手段
１５  加圧時脈波情報検出手段
１６  測定終了圧力算出手段
１７  加圧停止圧算出手段
【図１】
2008080069.tif 000003
【図２】
2008080069.tif 000004
【図３】
2008080069.tif 000005
【図４】
2008080069.tif 000006
【図５】
2008080069.tif 000007
【図６】
2008080069.tif 000008
【図７】
2008080069.tif 000009
【図８】
2008080069.tif 000010
【図９】
2008080069.tif 000011
【図１０】
2008080069.tif 000012